(57)【要約】【課題】            使用者または広告主が広告の露出を望むウェプページに使用者や広告主が所望の形態、価格、期間、対象者などの最適化されたカスタマイズ広告を広告が露出される実際のウェプページで、目で確認しながら、広告を製作、入札、予約、執行、確認、フィードバックを可能にすること。【解決手段】        ウェブブラウザーの座標値と当該ウェプページのＵＲＬを利用して、ウェブページに特定の方式で提供されるカスタマイズ広告媒体、即ち、インジケーターを生成して、それに連動される広告選定、予約、決済、精算、フィードバック手段を可能にする、ウェブページでインジケーターを利用したカスタマイズ広告管理システムを提供する。【選択図】          図３
2010536108.tif 000002
【特許請求の範囲】
【請求項１】
クライアントサーバーにインジケーター管理プログラムを設置したユーザーを対象に運営されるウェブページでインジケーターを利用したカスタマイズ広告管理システムにおいて、
特定のウェブページの表面上にウェブページのサイズに相応したサイズに積層されて、モニターに出力されるレイヤーと；
特定のウェブページが活性される時、上記レイヤーを活性化するが、レイヤーのサイズをウェブページのサイズに調節するレイヤー形成モジュールと；
上記レイヤーで少なくとも一つ含まれ、多様な広告コンテンツを含んで、特定のコンテンツまたは空間位置にあたる座標値に関連されることによって、特定のウェブページの表面上に露出されるインジケーターと；
上記インジケーターを生成するインジケーター生成モジュールと；
上記インジケーターに広告コンテンツを形成して、広告主対象の入札を行う入札部によって広告の進行を決めるインジケーター設定モジュールと；
広告の進行によって広告費用を精算する精算モジュールと；を含むことを特徴とするウェブページでインジケーターを利用した情報表示システム。
【請求項２】
上記レイヤー形成モジュールは、
レイヤーの透明度、輝度または彩度を調節するレイヤー透明度調節部をさらに備えることを特徴とする請求項１に記載のウェブページでインジケーターを利用した情報表示システム。
【請求項３】
上記レイヤー形成モジュールは、
複数のレイヤーを形成して、特定のウェブページに積層して処理するマルチレイヤー形成部をさらに含むことを特徴とする請求項１に記載のウェブページでインジケーターを利用した情報表示システム。
【請求項４】
上記インジケーター生成モジュールは、
上記インジケーターをモバイル形式、イメージ形式、動画形式、ＨＴＭＬ形式の中の何れか一つで貯蔵する貯蔵部をさらに備えることを特徴とする請求項１に記載のウェブページでインジケーターを利用した情報表示システム。
【請求項５】
上記インジケーター管理プログラムは、検索エンジンを含み、
上記インジケーター設定モジュールは、
上記検索エンジンを通じて特定のキーワードに関連する検索語を使用者が検索した時、これを、検索結果を表すウェプページが露出される瞬間に検索語に関連する内容を有するインジケーターが活性されるようにするキーワード設定部；を含むことを特徴とする請求項１に記載のウェブページでインジケーターを利用した情報表示システム。
【請求項６】
上記インジケーター設定モジュールは、
上記レイヤー及びインジケーターが特定のウェブページで存続する時間を調節する露出時間調節部をさらに備えることを特徴とする請求項１に記載のウェブページでインジケーターを利用した情報表示システム。
【請求項７】
上記インジケーターが表示された特定のウェブページのユーザー接続情報を分析する接続情報把握モジュールをさらに含むことを特徴とする請求項１に記載のウェブページでインジケーターを利用した情報表示システム。
【請求項８】
上記インジケーター管理プログラムが設置されたユーザーを対象に、ウェブページ接続情報を把握して、上記接続情報把握モジュールに伝送するウェブページ移動把握モジュールをさらに含み、上記ウェブページ移動把握モジュールは、
ウェブページの接続の後に発生され、各ウェブページを識別するために発給されたＩＤを含む移動開始メッセージを発生する移動開始メッセージ発生部と；
上記移動開始メッセージを発生した後、ウェブページを認識した瞬間に発生されるが、上記ウェブページのＵＲＬ情報及び自分がＩＤを通じて当該ウェブページがメインページであるか、サブページであるか否を収録した所属情報を含む移動完了メッセージを発生する移動完了メッセージ発生部と；
ウェブページローディングが全て完了された時発生され、どのウェブページの移動が完了されたかを分析した情報を含むドキュメント完了メッセージを発生するドキュメント完了メッセージ発生部と；
上記３種のメッセージを集めて、メッセージデータベースを生成するメッセージデータベース生成部と；を含み、
上記接続情報把握モジュールに接続情報の根拠となる上記メッセージデータベースを伝送することを特徴とする請求項７に記載のウェブページでインジケーターを利用した情報表示システム。
【請求項９】
携帯電話、ＰＤＡ、ＭＰ３、ＰＭＰ、ＴＶの多様な情報機器と上記インジケーターに対する情報を連動する連動モジュールをさらに含むことを特徴とする請求項１に記載のウェブページでインジケーターを利用した情報表示システム。
【発明の詳細な説明】
【技術分野】
【０００１】
本発明はウェブページでインジケーターを利用したカスタマイズ広告管理システムに関し、より詳しくは、一つのウェブページの中で様々な情報がともにモニターを通じて出力される時、その中、使用者が行おうとする重要な広告コンテンツを所望のウェプページで別途の透明レイヤーを積層し、この透明レイヤーの上で広告内容を表示するインジケーターで具現するが、この場合、使用者は、広告コンテンツを自ら製作したり、サービス供給者が提供する多様な広告コンテンツを選択して、使用者が入札したり、サービス供給者が提供する価格、期間、形態、キーワード、リンクなどの多様な広告オプションを選択及び決済して、インジケーターを通じて露出されることを望むウェプページに表示し、さらに、複数の使用者が上記特定のウェブサイトに使用者の広告情報が収録された多様な大きさの複数のインジケーターを生成することができるとともに、様々な他の使用者によって生成されたインジケーター及び同一のインジケーターが生成された複数のウェブページは多様な消費者の好みによって評価されて、使用者のインジケーターを生成するのに参照資料として活用されるようにする新しい方式の広告媒体を提供する広告管理システムに関する。
【０００２】
また、消費者の選好度の高いインジケーターを製作した使用者は、広告期間及び価格算定において、加算点を有するようになり、他の使用者は、これを参照して自分の広告コンテンツや広告対象ウェプページを選定することができるので、広告選択及び執行において既存の広告システムとは比較できない選択の多様性と使用者別カスタマイズ広告の執行することができる方式を提供することによって、使用者が製作または選択したインジケーターの露出を所望のウェブページのＵＲＬと特定情報を選別整理及び活用することによって、新しい広告市場及び広告形態を具現することができるシステムに関する。
【背景技術】
【０００３】
現代社会が高度化された知識情報社会及び大量生産の時代に進入するにつれて、生産者と消費者は、それぞれの立場で多様な情報の収集、分析、活用が生存の絶対条件になっている。即ち、生産者の立場では、より效率的な生産及び販売情報が必要であり、消費者の立場では、最も效率的な消費情報が必要となる。
【０００４】
言い換えれば、生産者と消費者との間の情報流通段階が漸次に減って、生産者と消費者が一対一で対応する時代に入り、これを通じて生産者と消費者が相存する企業環境が構築されている。例えばアメリカの有名な商品流通ウェブサイトであるイベイや国内の有名な商品流通ウェブサイトであるＧマーケットのようにすべての産業部門で流通部門の縮小が発生し、生産者と消費者が直接取引する事業形態が一般化されており、これは商品部分だけではなく、サービス分野も活発に行われている。
【０００５】
社会が高度化されるにつれて、生産者と消費者を連結する広告市場が注目されている。特に、インターネットに代表される知識情報化時代において、広告分野は革新的な変化を経験している。即ち、ＴＶ、新聞、雑誌、サインボードなど既存の広告媒体は不特定多数のための無差別な広告を行ったことに対し、インターネットに代表されるグーグルとヤフーのようなオンライン広告媒体は検索広告、スポンサー広告、ＵＲＬ広告など既存の広告媒体より相対的に正確な広告対象を分類、選定、執行を通じて広告效果を極大化させており、広告の需要と供給において、個人や企業が手軽く参加することができるシステムを構築運営して、既存の広告領域及びマーケットーシェアを広げており、広告市場の新しいパラダイムと付加価置を創出している。
【０００６】
現在、インターネットを利用したオンライン広告市場は、韓国の場合、ＮＨＮ、ダウム、ネイトなど三つの業社が、アメリカ市場の場合、グーグルとヤフー、またマイクロソフトが市場全体の約８０％以上を占めている寡占市場である。現在、代表的なオンライン広告技法の一つは、消費者がインターネットで情報を捜す時、入力する情報に最も適合する広告を表す「検索及びスポンサー広告」があり、もう一つは、使用者のアクセスの多いウェブサイトに広告を露出させることによって、広告效果を極大化する「ディスプレー広告（バナーまたはポップアップ広告）」などがある。企業ごとに若干差はあるが、オンライン広告市場は検索広告とディスプレー広告に大別することができる。このような検索及びディスプレー広告は、既存のメディアの不特定の大量広告に比べて、さらに正確で效果的な広告效果が立証されることによって、その影響力を広げている。
【０００７】
しかし、このようなスポンサー検索の広告媒体によるオンライン広告技法は、既存のメディアに比べて進歩しており、費用が效率的であるが、透明でない検索ランキング及びクリック詐欺などのように、弊害とともに広告主が自分の広告が正確にいつ、どこに露出されるかを分かることができなく、単純にクリック数やアクセス数のような量的な評価のみが可能で、所望の広告の位置を設定することも困難で、単純にＩＰのみによって接続情報を把握するだけで、具体的にどのような顧客層で、どのようにアクセスしたかのような質的な広告效果の測定が困難である。
【０００８】
また、ディスプレー広告の場合、一般人が近付くには技術的、費用的の面で諸問題がある。例えば、新たに特許弁理士事務室を開業した弁理士が特許事務室を広告するために「特許」、「弁理士」という二つの単語に対して検索広告を申し込んだと仮定する。この場合、既存の検索広告は誰かが検索窓に「特許」または「弁理士」を入力すれば、その検索結果が上端から下端に、ある程度決まった規格、位置内で特許事務所の広告（サイト住所）が現われる場合である。この場合、既存のメディア広告の場合より正確で広告費用も広告效果に比例して出費される長所がある。
【０００９】
しかし、上述したように、広告主が所望の位置や大きさで広告をしたり、クリック詐欺や検索語を入力する人が、果して広告対象になるかに対する測定などのような問題点を解決してはいない。また、ディスプレー広告の場合、上記例で新規特許事務室の最大の潜在顧客、即ち、広告対象は、特許弁理士のサービスを受けようとする人であり、特許庁や有名な特許事務所サイトに訪問する人が最大の潜在顧客であると仮定することができる。このような潜在顧客に対する最も效果的な広告方法は、特許庁や有名な特許事務所サイトにディスプレー広告をかけて、それを通じて消費者に広告するのである。しかし、現実的に特許庁にバナーをかけることは費用の問題もあるが、公正性の問題で簡単でなくて、有名な特許事務所の場合、競争業社のバナーをかけることは不可能なことである。
【００１０】
従って、検索広告やバナー広告は、既存広告に比べて進歩しているが、広告をしようとする広告主の選択を極端に制限して広告主に対するカスタマイズサービスを提供するにおいて一定の限界を見せる。また一般の使用者が自分の望む広告を所望の位置と価格、期間、形態で露出させることが不可能であり、この点が本発明で提示するインジケーターを利用したカスタマイズ広告及びシステムが提供するサービスとは最大の差異であると言える。
【００１１】
２１世紀の社会では、広告の洪水の中に住んでいるため、生産者と消費者との間のより效率的な広告技法及びコミュニケーションが生存の核心要素となっている。従って、さらに使用者と消費者を正確に連結するコミュニケーションの経路が必要で、それによって、このための最適の代案を提示することができる新しい広告方式を提供する広告管理システムが必要な実情であり、このような新規で、進歩されたシステムによって個人から企業まで必要とする多様な広告の需要を使用者の必要に合わせてカスタマイズ形式で提供する広告市場の新しいパラダイムを提供する必要性がある。
【発明の概要】
【発明が解決しようとする課題】
【００１２】
本発明は上記問題点を解決するために創出されたもので、本発明の主な目的は、使用者または広告主が広告の露出を望むウェプページに使用者や広告主が所望の形態、価格、期間、対象者などの最適化されたカスタマイズ広告を広告が露出される実際のウェプページで、目で確認しながら、広告を製作、入札、予約、執行、確認、フィードバックが可能になるように、ウェブブラウザーの座標値と当該ウェプページのＵＲＬを利用して、ウェブページに特定の方式で提供されるカスタマイズ広告媒体、即ち、インジケーターを生成して、それに連動される広告選定、予約、決済、精算、フィードバック手段を提供して、広告の最終的な目的である円滑なコミュニケーションの疎通效果及び效率を極大化することにある。
【００１３】
本発明の他の目的は、インジケーターが表示されたウェブページでインジケーター広告を行うための使用者や広告主、またウェプページを訪問する訪問者によって発生される接続情報を分析して、效果的な広告サービスを行うための基礎データ分析機能を行うようにすることである。
【００１４】
本発明のまた他の目的は、このようなインジケーターが多様な媒体、即ち空中波、ケーブル、インターネット、移動通信などのようなデジタル広告メディアとの連携のためのデータ交換及びフォーマット変換手段を提供して、他のデジタルメディアとの情報を共有、執行することによって、広告の製作及び執行、評価を便利に行うようにすることである。
【００１５】
さらに、本発明の目的は、特定の使用者または広告主が生成した広告インジケーターに、他の使用者または広告主が生成したインジケーターを、期間、価格、形態、大きさ、選好度のような多様な基準で、マルチレベルで積層して処理することによって、ウェプページの訪問者の多様な評価または管理分類、広告效果などを確認することができる便宜性を提供することである。
【００１６】
さらに、本発明の目的は、使用者または広告主が製作して、管理するインジケーターデータベースを、他の使用者の趣向に合うように再編、加工、購買することができるように、使用者が製作した広告データベースを取り引きする手段を提供することによって、広告の体系的な生産、販売、管理及び評価を行うことができる広告関連取引手段を提供することである。
【００１７】
さらに、本発明の目的は、広告生産者と消費者、また中間媒体などの全ての参加者の利益を極大化するＷｉｎ−Ｗｉｎモデルの構築のために、インジケーターを通じて広告収益が発生する場合、そのインジケーターを生産した者、また、インジケーターが付いているウェプページの所有者、また、広告サービスを本広告消費者、広告サービスの提供者が一定の比率で収益を配分することができるシステムを作るようにすることである。
【００１８】
さらに本発明の目的は、インジケーターの中の多様なコンテンツを多様な有無線を含んだ多様なフォーマットに変更して、いつ、どこでもインジケーターの内外に表現されたコンテンツを確認、活用することができるようにすることである。
【課題を解決するための手段】
【００１９】
上記目的を達するために、本発明によるウェブページでインジケーターを利用したカスタマイズ広告管理システムは、クライアントサーバーにインジケーター管理プログラムを設置したユーザーを対象に運営されるウェブページでインジケーターを利用したカスタマイズ広告管理システムにおいて、特定のウェブページの表面上でウェブページのサイズに相応したサイズに積層されてモニターに出力されるレイヤーと；特定のウェブページが活性される時、上記レイヤーを活性化するが、レイヤーのサイズをウェブページのサイズに調節するレイヤー形成モジュールと；上記レイヤーで少なくとも一つ含まれ、多様な広告コンテンツを含んで、特定のコンテンツまたは空間位置にあたる座標値に関連されることによって、特定のウェブページの表面上に露出されるインジケーターと；上記インジケーターを生成するインジケーター生成モジュールと；上記インジケーターに広告コンテンツを形成して広告主対象の入札を行う入札部によって広告の進行を決めるインジケーター設定モジュールと；広告の進行によって広告費用を精算する精算モジュールと；を含むことを特徴とする。
【発明の効果】
【００２０】
以上で説明したように、本発明によるウェブページでインジケーターを利用したカスタマイズ広告管理システムによれば、
１）ウェブページの表面上にレイヤーを形成し、これにインジケーターという新しい広告手段を表現することによって、ウェブページに低コストで直接具現することができるとともに、ユーザーに新しい好奇心を刺激することによって、多様な欲求を追求する広告主及びユーザーの口当たりを刺激することができる新しい広告パラダイムを創出することができる特性を有し、
２）広告が露出される実際のウェブブラウザーの座標値と当該ウェブページのＵＲＬを利用してウェブページに特定の方式で提供されるカスタマイズ広告媒体、即ち、インジケーターを生成してそれに連動される広告選定、予約、決済、精算、フィードバック手段を提供して、広告の最終目的である円滑なコミュニケーションの疎通效果及び效率を極大化することができるという長所を有し、
３）インジケーターが表示されたウェブページでインジケーター広告を行うための使用者や広告主、またウェプページを訪問する訪問者によって発生される接続情報を分析して、效果的な広告サービスを執行するための基礎データ分析機能を行うことができるとともに、
４）インジケーターが多様な媒体、即ち、空中波、ケーブル、インターネット、移動通信などのようなデジタル広告メディアとの連携のためのデータ交換及びフォーマット変換手段を提供して、他のデジタルメディアとの情報を共有、執行することによって、広告の製作及び執行、評価の便利性を求めるとともに、
５）特定の使用者または広告主が生成した広告インジケーターに他の使用者または広告主が生成したインジケーターを期間、価格、形態、大きさ、選好度のような多様な基準で積層処理することができることによって、インジケーターの間の競争を自然に誘発することができるとともに、ウェプページの訪問者の多様な評価または管理分類、広告效果などを確認できる便宜性を提供することができるという效果を奏する。
【図面の簡単な説明】
【００２１】
【図１】本発明によるインジケーターを利用したカスタマイズ広告管理システムの概略的な構成関係を示した概念図。
【図２】本発明によるインジケーターの基本的理解のための概念図。
【図３】本発明によるインジケーターを利用したカスタマイズ広告の表示及び管理システムの具体的な構成を示すブロック図。
【図４】本発明によるインジケーターを利用したカスタマイズ広告管理システムをサーバーの中心に各構成関係を示したブロック図。
【図５】本発明によるインジケーター設定モジュールの機能を通じて広告設定ページでインジケーターを利用したカスタマイズ広告を申し込む過程を示した例示図。
【図６】本発明による広告入札に対する過程を示した例示図。
【図７】本発明による広告落札の過程を示した例示図。
【図８】本発明による広告承認の過程を示した例示図。
【図９】本発明によるウェブページ移動把握モジュールによるウェブページ移動把握過程を示した順序図。
【発明を実施するための形態】
【００２２】
以下、添付された図面を参照して本発明の好ましい実施形態を詳細に説明する。添付された図面は縮尺によって図示されてなく、各図面の同一の参照番号は同一の構成要素を示す。
【００２３】
図１は本発明によるインジケーターを利用したカスタマイズ広告管理システム１０の概略的な構成関係を示した概念図である。
【００２４】
本発明によるインジケーターを利用したカスタマイズ広告管理システム１０は、インジケーター１００という独特の構成を、広告設定手続きを通じて、ウェブページ４０の特定のコンテンツまたは特定の位置に自在に付け、このようなインジケーター１００が表示されたウェブページ４０をウェブドキュメント、ファイルなどで貯蔵及び分類して、別途に貯蔵させることができるとともに、このようなインジケーター１００を生成する主体であるクライアントサーバー２０と生成過程を補助しながら管理する機能をするシステムサーバー３０で構成されて、このような各サーバー２０、３０が互いにウェブサイト５０または有無線通信を通じてリアルタイムで連結されてインジケーター１００を共有することによって、自分を含む他のユーザーの特化されたカスタマイズ広告を有用に活用することができるようにすることを基本特性とする。
【００２５】
図１によれば、ユーザーが使用するクライアントサーバー２０には、インジケーター管理プログラム２５がインストールされていることが分かる。
【００２６】
インジケーター管理プログラム２５は、クライアントツールバーまたはユーザーのコンピューターの上に設置されて、インジケーター１００を生成及び駆動、管理するためのものであり、言い換えれば、ユーザーによって製作されるインジケーター１００を利用することができる諸般のインターフェースを提供する基本的な役割を果たす。
【００２７】
このように、ユーザーによって製作されたインジケーター１００はウェブページ４０を通じて識別され、インジケーター管理プログラム２５を設置したユーザーは、ＤＢサーバー６０とシステムサーバー３０を通じて連動されることができる。
【００２８】
ＤＢサーバー６０は、ユーザー情報データベース１０６、インジケーターデータベース１０５、広告データベース１０７などの本発明によるシステムを通じて創出された各種データベースを貯蔵する機能をし、システムサーバー３０は連動されているユーザーにインジケーター１００を呼び出して、広告遂行手続きの中央統制機能を有するとともに、インジケーター１００を利用するユーザーの具体的な接続情報、広告によるユーザーのリップル及び点数管理、費用精算、広告情報取引機能などの本発明によるインジケーターを通じる各種応用ができるようにする機能を提供して、このような具体的機能は、下記の各モジュールの説明によって具体化される
図２は本発明によるインジケーターの意味に対する基本的な理解のための概念図である。
【００２９】
本発明におけるインジケーター（ｉｎｄｉｃａｔｏｒ）１００とは、ウェプページ４０に収録されたドキュメント、絵、動画などに該当する部分に表示される特定の大きさのブロック空間であり、一般のノートまたはドキュメントに貼るメモ紙、例えば３Ｍ社の商標名ポストイット（ｐｏｓｔ  ｉｔ）のような機能をするウェブ上でのオンラインメモ紙のように、使用者が所望の所にインジケーターを付けてこれを広告で利用する。即ち、ユーザーがウェブサイトを訪問すると、簡単に識別することができる既存の多様な形態のポップアップ（Ｐｏｐ−Ｕｐ）広告や所定の位置に付いているバナー広告のようなディスプレー広告媒体を代替する概念で、インジケーター１００を利用してウェブページ４０の所望の所にインジケーター管理プログラム２５を設置した使用者がカスタマイズ広告を具現したものと言える。
【００３０】
このようなインジケーター１００は、ウェブページ４０の特定の位置で具現が可能であるが、インジケーター１００の具現方式は、ウェプページの構造、即ちウェブページを構成、実行するためのソースまたは言語を変更して物理的にインジケーター１００をウェブページ４０に挿入するのではなく、ユーザーの肉眼基準でウェブページ４０の表面上に附着する方式を求める。
【００３１】
言い換えれば、インジケーター１００は、ウェブページ４０の表面上に別途のレイヤー１０１（好ましくは透明レイヤー）で表示されることによって、このようなインジケーター１００が表示されたレイヤー１０１がウェブページ４０の上に積層された状態をユーザーの視覚で見ると、インジケーター１００がウェブページ４０に附着されているように見える。
【００３２】
このようなインジケーターは、ウェブページ１００の特定のコンテンツまたは位置に正確に具現されるために、ウェブページ４０に表示しようとする位置の座標値を把握したレイヤー１０１に具現するようにし、さらに、一つのウェブページ４０で位置を異なるようにして複数のインジケーター１００が具現されたり、同一の位置で複数のインジケーター１００が複数に積層されたレイヤー１００で表示されるようにすることが全て可能である。
【００３３】
同時に、このようなインジケーター１００は、多様な形態及びフォーマットで表現することができ、例えば動画（ｈｔｍｌ挿入、埋め込み形態など）、フラッシュ、ドキュメント、ハイパーリンクなどのフォーマットのような現在公知されている多様な露出フォーマット中の何れか一つで表現されることが可能である。
【００３４】
本発明で求めるインジケーター１００による運営及び広告方式は、インジケーター管理プログラム２５の設置された使用者が、インジケーター１００という所定の大きさで形成されたブロック空間を基準で使用者が所望の広告形態を選定した後、インジケーター設定モジュール１３０及び精算モジュール１４０を通じて広告を所望ウェブページ４０の所望の位置にカスタマイズ広告を設定及び決済して、インジケーター管理プログラム２５の設置されたユーザーがウェブページ４０を訪問すると、広告コンテンツを収録したインジケーター１００が表示した状態で、ウェブページ４０が活性化されることが可能である。
【００３５】
図３は本発明によるインジケーターを利用したカスタマイズ広告表示及び管理システム１０の具体的な構成を示すブロック図であり、図４は本発明によるインジケーターを利用したカスタマイズ広告管理システム１０をサーバー中心に各構成関係を示したブロック図である。
【００３６】
図３によれば、本発明によるシステム１０は、クライアントサーバー２０及びシステムサーバー３０がリアルタイムで連動されている状態で、ウェブページ４０上のレイヤー１０１に生成されるインジケーター１００、上記インジケーター１００が特定のウェブページに生成されるために必要なレイヤー１０１を形成するレイヤー形成モジュール１１０、インジケーター１００の位置情報及び内容情報をともに貯蔵しているインジケーターデータベース１０５、インジケーターの生成役割を果たすインジケーター生成モジュール１２０、インジケーターを通じる広告諸般の内容を設定するインジケーター設定モジュール１３０、使用者の選好度によってインジケーター１００にカスタマイズ広告を具現する時、所定の費用を処理、精算する精算モジュール１４０で構成され、インジケーター管理プログラムが設置されているユーザーのウェブサイトサーフィン状況を把握するウェブページ移動把握モジュール１５０、上記ウェブページ移動把握モジュール１５０によって把握された多様なクリック数、訪問者、広告金額、広告期間など多様な接続情報を分析、管理する接続情報把握モジュール１６０、またクライアントサーバー２０と各種外部サーバーとシステムサーバー３０との多様な情報共有及び処理のために携帯電話、ＰＤＡ、ＭＰ３、ＰＭＰ、ＴＶなど多様な情報器機とのインジケーター情報交換及び活用することができるようにする連動モジュール１７０を備える。
【００３７】
また、本発明によるシステムは、このような全過程で生成、修正、削除、貯蔵される多様な情報を、インジケーターデータベース１０５を通じて管理し、基本的な人的事項以外にインジケーター管理プログラム２５を配布した使用者に対する情報を貯蔵、管理するユーザーデータベース１０６とインジケーター１００を利用したカスタマイズ広告に使われる各種広告関連コンテンツ、広告使用者情報、広告效果などの広告関連情報を収録した広告データベース１０７と、このようなカスタマイズ広告を執行するために必要な決済及び精算に必要な各種機能と内容が管理される精算データベース１０８、また、外部システムやＤＢと連動、多様な使用者及びサービス拡張が可能となるように連動データベース１０９で具現され、インジケーター管理プログラム２５はメッセージイベント７１、デスクバンド７２、ハンドラー（ｈａｎｄｌｅｒ）７３を含むツールバー７０を備えている。
【００３８】
ツールバー７０は、クライアントサーバー２０のデスクトップに設置されて、ユーザー中心に運営されるもので、上記インジケーター生成モジュール１２０及びインジケーター設定モジュール１３０のインジケーター１００の生成または広告設定機能を補助する役割と、システムサーバー３０と連動関係を保障する役割を果たし、詳しくはメッセージイベント７１、デスクバンド７２、ハンドラー７３で構成される。
【００３９】
具体的に、メッセージイベント７１は、ユーザーによって用いられる道具手段で、上記インジケーター生成モジュール１２０にインジケーター１００生成信号による命令及び信号を発生して、これを伝送、呼び出す手段で、具体的にインジケーター生成モジュール１２０のブロック設定機能、座標測定機能、入力機能などを円滑に行うことができるようにクライアントサーバー２０のユーザーが信号を発生してシステムサーバー３０に伝送する媒介の役割を果たす。
【００４０】
デスクバンド（ｄｅｓｋ  ｂａｎｄ）７２は、デスクトップ（ｄｅｓｋｔｏｐ）とタスクバー（ｔａｓｋ  ｂａｒ）の上に位置する客体で、クライアントサーバー２０が稼動されると同時に各構成モジュールが実行されるように、ｏｎ状態を維持することによって、リアルタイムでシステムサーバー３０と連動が可能になるように構成されており、同時にシステムサーバー３０で運営するウェブサイト５０とリアルタイム連動を、同時に後述する接続情報分析モジュールにユーザーのウェブサイト接続情報を伝達する役割を果たす。
【００４１】
ハンドラー７３は、後述するインジケーター設定モジュール１３０によるそれぞれのインジケーター１００の広告コンテンツの変更または露出位置を設定する時使用することができる道具手段である。
【００４２】
また、図４から分かるように、主にユーザー中心に運営管理されるクライアントサーバー２０には、既設置されているインジケーター管理プログラム２５によってインジケーター設定モジュール１３０、ツールバー７０を備えており、インジケーター１００を総合的に運営及び管理またはウェブサイト５０と連動関係になるようにするシステムサーバー３０は、レイヤー形成モジュール１１０、インジケーター生成モジュール１２０、精算モジュール１４０、ウェブページ移動把握モジュール１５０、接続情報把握モジュール１６０、連動モジュール１７０を備えており、ＤＢサーバー６０は、インジケーターデータベース１０５、ユーザーデータベース１０６、広告データベース２０７、精算データベース１０８、連動データベース１０９などを備えている。
【００４３】
ただ、このような本発明によるシステム１０のそれぞれの構成は、どのサーバーにあるのかが重要でなく、各クライアントサーバー２０とシステムサーバー３０で各構成の連動関係及び特殊の機能があるか否かを重要視して説明すべきあり、このような各構成の詳細な機能及び作用を、図３、４を参照して説明すれば下記の通りである。
【００４４】
本発明によるレイヤー形成モジュール１１０は、インジケーターが位置するレイヤー１０１を生成する機能をするもので、ここで、レイヤー１０１と言うのは、特定のウェブページ４０に透明に積層される一種の透明膜のような概念で理解することができる。
【００４５】
言い換えれば、具現の便宜性と汎用性を求めるために、インジケーター１００を特定のウェブページ４０の特定の空間内に物理的に挿入する方式ではなく、モニターの上に表示される時、当該ウェブページ４０の上に積層される情報を表示するためには、当該情報が表示されることができる媒体が必要であり、透明膜のような性質を有するこのような媒体がレイヤー（ｌａｙｅｒ）１０１である。
【００４６】
本発明で意味するレイヤー１０１は、単純にウェブページ４０を被覆している透明膜のような概念ではなく、ただ透明な状態で識別されるだけで、その形態は一般のウェブページの構造を有することができる。
【００４７】
例えば、リンク、ドキュメント／動画表示、内容入力などが全て可能な構造で構成されており、このように、レイヤー１０１がウェブページの構造を有してこそ初めてここにインジケーター１００がこのようなレイヤー１０１に挿入／活性されることができる。
【００４８】
言い換えれば、本発明のレイヤー１０１は透明または半透明な状態を有して、この下に位置したウェブページ４０が全部識別されることができるが、基本的には、別途のウェブページ（レイヤー）が特定のウェブページ４０の上に積層されていると理解するのが妥当である。
【００４９】
このようなレイヤー１０１は、インジケーター１００と運命を共にしており、即ち、インジケーター１００が活性されると、ともに活性され、インジケーター１００が消えると、ともに消えるもので、これはインジケーター１００を表示するためのベースフォームに該当するというレイヤー１０１の基本性質を考慮すると当然なことである。
【００５０】
具体的に、レイヤー形成モジュール１１０は、特定のウェブページ４０が占める大きさの基準またはモニターの大きさの基準によって、特定の大きさのレイヤー１０１を形成し、コンピューターモニターでウェブページ４０が開かれる時、ウェブページ４０のウインドウを生成する瞬間、ウェブページ４０の表面上で活性化されるようにする機能をする。
【００５１】
即ち、レイヤー形成モジュール１１０は、活性部１１１、ウェプページ４０のサイズの変化に相応したレイヤー１０１を備えるレイヤーサイズ自動設定部１１２、レイヤー１０１の透明度を調節するレイヤー透明度調節部１１３、座標分割部１１４、単一レイヤー１１１の上で複数のインジケーター１００が存在する時、それぞれのインジケーター１００の位置を形成する距離を調節するインジケーター位置調節部１１５、複数のレイヤー、即ち、マルチレイヤーを形成するマルチレイヤー形成部１１６で構成される。
【００５２】
活性部１１１は、ウェブページ４０がモニター上に活性される時、レイヤー形成モジュールからウェブページ活性信号が入力されて、レイヤー１０１をウェブページ４０の表面上に形成する機能をする。
【００５３】
レイヤーサイズ自動設定部１１２は、活性部１１１によって活性化されたレイヤー１０１がウェブページ４０の正格サイズに相応するように、ウェブページ４０のサイズ値を入力されると、これと同一のレイヤーサイズを有するように、レイヤーサイズを自動に調節する機能をする。
【００５４】
レイヤー透明度調節部１１３は、レイヤー１０１の透明状態を調節する役割を果たす。一般的には、レイヤー１０１は透明状態に形成され、使用者はこのようなレイヤー１０１がウェブページ４０の表面上に存在するか否かを感じることができずに、ウェブページ４０のみ識別することができるようにすることが好ましいが、場合によってレイヤー１０１に色相を加えるとか輝度／彩度を調節しようとする場合は、レイヤー透明度調節部１１３を通じて色相の調節、半透明状態または透明度の程度を調節することができる。
【００５５】
座標分割部１１４は、レイヤーフォームをｘ、ｙ軸に区切って各地点に対する位置情報を把握しようとするもので、インジケーター１００が特定のレイヤー１０１の位置に附着される時、このようなレイヤーの座標値を参照してインジケーターの附着位置を把握及び調節することができる。
【００５６】
インジケーター位置調節部１１５は、一つのレイヤー１０１から複数のインジケーター１００が形成になる時、最小近接距離を設定して、この距離内では、付近のインジケーターが形成されないようにする役割を果たす。即ち、本発明では、一つのレイヤー１０１から複数のインジケーター１００が活性化されることも可能であるが、この場合、インジケーター位置調節部１１５は、一つのレイヤー１０１上で具現されるインジケーター１００の位置に対する規律を設定する機能をする。
【００５７】
これは、あまりにも多いインジケーター１００が一つのレイヤー１０１に形成されて、使用者に混同を引き起こすことを防止するために、インジケーター１００周辺の所定距離内では、他のインジケーター１００が形成されないようにしたのである。
【００５８】
マルチレイヤー形成部１１６は、インジケーター１００を含むレイヤー１０１自体を複数に形成することを許容する機能を有するもので、言い換えれば、ウェブページ４０に形成されたレイヤー１０１の上部に別途のインジケーター１００を含む他のレイヤー１０１を形成する機能を有する。これは、表示されるインジケーター１００が非常に多い場合、一つの平面、即ち一つのレイヤー１０１の上で全て表示するのが難しかったり、特定のインジケーターの位置に、また他のインジケーターを積層しようとする時使用可能であり、上記のレイヤー１０１の上部に別途のレイヤー１０１を積層して処理し、インジケーター１００の色相を半透明に設定することによって、特定のウェブページ４０の表面上に必ず一つのインジケーター１００のみが存在するのではなく、複数のインジケーター１００が積層されており、識別されることができるようにするためである。
【００５９】
このようなに複数のレイヤー１０１を通じて、特定のウェブページ４０の空間上に複数のインジケーター１００が積層される場合には、最上位のインジケーター１００に高い広告費用を策定し、その下に配置されているインジケーター１００には低い広告費用を設定するようにして、広告選択の多様性を求めることができ、同時に積層されているインジケーター１００の場合、「この空間には３個のインジケーターが積層されています。全体を見ますか？」のようなメッセージをインジケーター１００の周辺に表示するようにすることもできる。
【００６０】
このような構成によって形成される本発明によるレイヤー１０１は、直接に特定のウェブページ４０の上にインジケーター１００を表示するよりシステムの安全性を保障することができ、少ないメモリーでインジケーター１００の具現が可能であるという長所を提供して、このようなレイヤー１０１に対する概念が本出願人がインジケーターに係わる内容で登録された韓国特許登録第７０５４７４号と大きく差別される特徴の中の一つであると言える。
【００６１】
インジケーター生成モジュール１２０は、クライアントサーバー２０とシステムサーバー３０それぞれに備えられて、インジケーター１００を生成及び貯蔵する核心的な機能を行い、具体的には、ブロック設定部１２１、座標設定部１２２、入力部１２３、貯蔵部１２４、レイヤー出力部１２５、形態変更部１２６で構成される。
【００６２】
まず、ブロック設定部１２１は、当該ウェブページ４０でインジケーター１００を生成しようとする位置を指定及び選択して、大略的なインジケーター１００の形状が収録されるウェブページ４０の部位、即ち広さを予測するようにする。インジケーター１００の形状は、一般のメモ紙のような四角形状を含めて台形形状、円／楕円形状などに多様化されることができる。
【００６３】
座標設定部１２２は、上記ブロック設定部１２１で設定された部分にあたるウェブページ４０の部位の座標値を読み取ってこれを数値化するもので、一般に、すべてのウェブページ４０は出力されるモニターの形状に関係なく、所定の座標値を有しており、このような座標情報によってそれぞれのコンテンツを収録するようになり、既にウェブページ４０に存在している座標情報を上記ブロック設定部１２１で設定した位置によって計算して、このような座標値を通じてインジケーター１００を特定のウェブページ４０の位置に貯蔵する準備を取り揃えるようにする。
【００６４】
即ち、このような座標設定部１２２によるインジケーター１００の表示機能によってウェブページ４０がユーザーの画面の大きさによって、異なるように表示されたとしても、正位置を把握して該当の部分に正確にインジケーター１００が表示されるようにすることが可能である。
【００６５】
入力部１２３は、インジケーター１００の内容、即ち後述する広告コンテンツを記録する役割を果たすもので、インジケーター設定モジュール１３０及びツールバー６０のメッセージイベント６１によって、具体的な内容を記入することができる。
【００６６】
貯蔵部１２４は、上記座標設定部１２２で得られた座標情報及び当該ウェブページ４０のＵＲＬ、上記入力部１２３に入力された内容を貯蔵して、インジケーターデータベース１０５を構築する前段階の役割を果たす。貯蔵部１２４で貯蔵された情報は一旦クライアントサーバー２０に備えられたメモリーを通じて、一時貯蔵した後、システムサーバー３０に伝送したり、または直接システムサーバー３０に伝送することができる。システムサーバー３０で貯蔵された情報は、追ってクライアントサーバー２０からインジケーター１００を呼び出す場合、クライアントサーバー２０に伝送されることができ、情報の体系的な集合体として具現されたインジケーターデータベース１０５が伝送されることもできる。
【００６７】
また、貯蔵部１２４の保安性を簡単に説明すると、一般に、ウェブページ４０を具現するドキュメント及びその他のコンテンツは、ＨＴＭＬドキュメントで作成されるが、このようなインジケーター１００を含む様々なＨＴＭＬドキュメントを作成する時、主にジャバスクリプト言語を使用すると、そのソースがそのまま外部に露出されることがあって、保安的に脆弱性を有するため、他社で容易にインジケーター１００の機能を模倣することができるという点を考慮して、貯蔵部１２４を実行ファイルであるＤＬＬファイルに作成することができて、インジケーター１００に対するソースの流出を未然に防止することができ、その処理速度にも長所を有することができる付随的な機能も兼備する。
【００６８】
同時に、貯蔵部１２４に貯蔵される時、インジケーター１００のアウトラインまたは内部の基本色相は、ユーザーの趣向によって多様に表現が可能であり、インジケーター１００がウェブページ４０のターゲットになるコンテンツを覆うように構成されると、インジケーター１００によってその下のコンテンツの内容が遮られるため、初めからインジケーター１００自体を半透明に構成することも可能である。
【００６９】
同時に、貯蔵部１２４でインジケーター１００を貯蔵する場合には、貯蔵形式を決めることができる。具体的に、貯蔵形式はモバイル形式、イメージ形式、動画形式、ＨＴＭＬ形式などで構成されることができ、これは特定形式のみを支援するウェブページまたはモバイルインターフェースで簡単にインジケーター１００が活性化されることができるようにするためであり、さらに、ＸＭＬを使用したこの形式のデータベースと連動可能にするために、この形式のデータベースでも公知の変換ツールまたは変換モジュールを利用して多様な形式を有するデータベースに変換して貯蔵することができる。
【００７０】
レイヤー出力部１２５は、上記過程を通じて生成されたインジケーターをレイヤー上に具現する機能を有するもので、ウェブページの座標位置に相応するレイヤー上の特定座標の位置にインジケーターを挿入／活性化する役割を果たす。
【００７１】
言い換えれば、上記貯蔵部１２４に貯蔵された情報をインジケーター１００の呼び出し時（主に特定のインジケーターに関連されているウェブページの活性の時）にクライアントサーバー２０に伝送してクライアントサーバー２０に連動されているモニターを通じてレイヤー１０１の上でインジケーター１００を出力する機能をする。
【００７２】
形態変更部１２６は、インジケーター１００の位置を調整する時に用いられるもので、インジケーター１００自体の移動機能を提供し、変形された座標値を座標設定部１２２に伝送することによって、新座標値で位置を再設定して、大きさを大きくしたり、小さくすることが可能になるようにする。
【００７３】
上記説明したインジケーター生成モジュール１２０を通じてウェブページ４０の上に生成されたレイヤーの上にインジケーター１００を附着することができる方法を提示することが可能である。
【００７４】
本発明によるインジケーター設定モジュール１３０は、基本的に広告機能をするインジケーター１００の具体的な広告内容と広告条件を規律する役割を果たすもので、具体的にコンテンツ設定部１３１、カテゴリー設定部１３２、位置設定部１３３、キーワード設定部１３４、ＵＲＬ設定部１３５、露出時間設定部１３６、日程設定部１３７で構成されている。
【００７５】
このようなインジケーター設定モジュール１３０は、インジケーター１００に附着された広告申し込みアイコンまたはシステムサーバー３０で運営する別途のウェブページに接続して行うことができ、需要者が識別及び操作しやすいように、便利なインターフェース環境に提示されることが可能である。
【００７６】
コンテンツ設定部１３１は、広告内容となる広告コンテンツを設定するもので、これは広告データベース１０７と連動されている。
【００７７】
本発明による広告データベース１０７は、多様なフォーマット形態の動画、イメージ、フラッシュ、ＨＴＭＬ形式、モバイル形式を全て支援し、このような詳細形式に適合する多様な広告内容を有する広告コンテンツが収録されている広告内容の情報集合体を意味する。
【００７８】
従って、需要者は自分が所望の広告形態及び内容を広告データベース１０７で自由に選択することができ、または別途に注文して製作することも可能である。
【００７９】
カテゴリー設定部１３２は、インジケーター１００の広告内容によって分類体系を設定する機能をする。例えば、履き物の広告内容を収録したインジケーター１００を雑貨、履き物のカテゴリーに設定分類する機能を有するようにするのである。ここで、カテゴリーは、大分類、中分類、小分類のように詳細なツリー構造を有するように具体化されることが可能である。
【００８０】
位置設定部１３３は、特定のウェブページ４０の特定の部位でインジケーター１００が露出されるのを設定するもので、この場合ウェブページ４０の内容に関係なく、露出を所望のウェブページ４０の特定の部位、例えば下端右側、上端左側のような部位で露出されるようにする役割を果たす。このために、位置設定部１３３は座標分割部１１４または座標設定部１２２に連動されて、ウェブページ４０またはレイヤー１０１で露出を必要とする特定部位の座標値が入力されなければならず、入力された座標値に当たる部位、具体的には、レイヤー１０１の部位にインジケーター１００を露出させることができる。
【００８１】
さらに、このような位置設定部は、特定の固定位置だけではなく、ウェブページのコンテンツ内容を把握することができるコンテンツ探索モジュール（図示せず）と連動されて特定の単語またはコンテンツでインジケーターを表示する機能まで拡張されることもできる。
【００８２】
キーワード設定部１３４は、ポータルサイトまたは本システム固有の検索エンジンと連動されて、特定の単語を含んだり、特定単語に係わる検索語を使用者が検索した時、これを、検索結果を表すウェブページ４０が露出される瞬間に検索語と関連する内容を有するインジケーター１００も活性されるようにする役割を果たす。
【００８３】
好ましくは、キーワード設定部１３４は、システムサーバー３０で別途に提供する検索エンジンを通じて使用者が検索語を入力する時、検索語と関連がある広告情報をインジケーターデータベース１０５で抽出してインジケーター１００を活性化するように構成されている。
【００８４】
例えば、検索エンジンで「履き物」というキーワードを使用者が入力する場合、履き物に関連する検索情報を現わすウェプページ４０が活性されるとともに履き物の関連広告の内容を有するインジケーター１００も活性されることを言う。
【００８５】
ＵＲＬ設定部１３５は、使用者が直接特定のウェブページ４０のＵＲＬを、アドレスバーを通じて入力する時、当該ＵＲＬを有するウェプページ１００が活性され、この時、このウェブページ４０が活性される瞬間にインジケーター１００も活性されるようにする役割を果たす。
【００８６】
例えば、使用者がｗｗｗ.ｎａｖｅｒ.ｃｏｍを入力すれば、ネイバーメインウェブページ４０が活性されながら、レイヤー１０１の生成とともにインジケーター１００が露出されるようにする。即ち、特定のウェブページ４０に初期接続すると同時にインジケーター１００を活性するための機能を提供することで、ＵＲＬ設定部１３５は、例えば、Ａ、Ｂ、Ｃ、ＤというＵＲＬが入力されるだけで、無条件にインジケーター１００を活性化することができる方式で、一つのインジケーター１００に対して、複数のＵＲＬを有するウェブページ４０で露出されることを許容することができる。
【００８７】
露出時間設定部１３６は、レイヤー１０１でインジケーター１００が露出される時間（またはレイヤーが活性化されている時間）を調節する機能をする。これは需要者がウェブページ４０に接続をする度に、インジケーター１００が固定的に活性されると、需要者が腹立ったり面倒に思うことがあるため、一定の時間だけレイヤー１０１でインジケーター１００が活性化されてから消えるようにする役割を果たす。
【００８８】
これはレイヤー１０１の活性及び消滅と運命をともにして、例えば１０秒間露出されるように設定されたら、１０秒の時間の間、特定のウェブページ４０の上でレイヤー１０１及びこれに具現されたインジケーター１００が活性化されるようにする。
【００８９】
日程設定部１３７は、特定の期間のみ、インジケーター１００が当該ウェブページ４０で活性化されるようにする機能を提供する。即ち、広告期間を設定する役割を果たすもので、例えば、６月１日から６月１０日のみまでに特定のウェブページ４０でインジケーター１００が活性化されるようにすることが可能である。
【００９０】
入札部１３８は精算モジュールと連動になって、広告主の入札順位または広告決定を調整したり、特定のＵＲＬ／キーワード、単一／マルチレイヤーなどで複数のインジケーター１００を生成する時、インジケーターの差等の生成位置（例えば、高い広告費用を支払った広告主の場合、中央の位置または第１レイヤーの上位置を保障する方式など）を決めるために、広告主に費用別に差等化されたインジケーター広告順位を設定するようにする機能を提供するもので、これは現在一般的に行われている広告順位設定プログラムと類似する機能を提供する。
【００９１】
図５は本発明によるインジケーター設定モジュールの機能を通じて広告設定ページでインジケーターを利用したカスタマイズ広告を申し込む過程を示した例示図であり、図６は本発明による広告入札に対する過程を示した例示図である。
【００９２】
また、図７は本発明による広告落札の過程を示した例示図であり、図８は本発明による広告承認の過程を示した例示図である。
【００９３】
図５から分かるように、インジケーター１００は、広告設定アイコン１００ａを有しており、使用者がこれを押すと、インジケーター設定モジュール１３０と連動されている広告申し込みが可能な広告設定ページが表示される。
【００９４】
このような広告設定ページは、インジケーター設定モジュール１３０の管理の下で運営されるもので、言い換えれば、インジケーター設定モジュール１３０の使用者インターフェースを担当すると見ることができる。
【００９５】
図５乃至図８から分かるように、広告設定ページには、使用者がカスタマイズ広告をするための全ての過程が一目瞭然に整理されていて、これを通じて広告設定に対するプロセスを解決することができる。
【００９６】
使用者はカスタマイズ広告を、所望ウェブページを訪問した後、そのウェプページの上でインジケーター１００を呼び出して、広告設定アイコン１００ａを押すと、広告設定ページに接続するとともに、広告を所望のウェプページに対する多様な期間別訪問者の情報を提供する訪問者の現況とカスタマイズ広告が運営中であったり、予約された現況に対する情報を提供する広告現況機能、また執行されたカスタマイズ広告に対する結果や效果を現わす広告效果と、このような過程を経た後実質的な広告を申し込む広告申し込み機能があり、一般の使用者の情報に対する修正、変更、削除が可能な自分の情報（マイページ）などで構成されおり、最終的にインジケーター設定モジュール１３０との連動によって広告の設定が行われる。
【００９７】
本発明による精算モジュール１４０は、使用者の選好度によってインジケーター１００にカスタマイズ広告を具現する時、所定の広告政策または入札部１３８との連動によって広告費用を精算するようにする機能を有するもので、これは公知の広告システムの精算方式と似ており、上記インジケーター設定モジュール１３０で選択されたインジケーター広告方式別に広告費用を差等化して精算をするようにする。精算モジュール１４０は、リアルタイムで運営されるようにして、精算した後、直ちに広告を表示するインジケーターの実行されるようにすることが好ましい。
【００９８】
また、精算モジュール１４０は収益分配部１４１をさらに含んでおり、本発明によるインジケーター１００は基本的にインジケーター管理プログラムを設置したユーザーのみに実行されるため、インジケーター管理プログラムがどれぐらい多くのユーザーに配布されたか否かが本発明の成敗を決めることができる状況であるため、収益分配部１４１は、インジケーター管理プログラム２５を、インターネットを通じて配布する時、配布者が配布されるインジケーター管理プログラム２５に自分の名前及び情報を残して、当該配布者を通じて配布されるインジケーター管理プログラム２５を通じて発生される広告収益を配布者に所定の割合で収益を分配するようにする機能を提供する。
【００９９】
このために、インジケーター管理プログラム２５を特定のウェブサイトにアップロードする時、配布者の名前と情報を残すことができる機能をインジケーター管理プログラム２５の中に設置することができ、配布者は第１配布者、第２配布者のように最初配布者から後続配布者に至るまで複数の人の設定が可能である。
【０１００】
即ち、収益分配部１４１は、このような配布者の情報を抽出して、収益分配を通じて、追後広告費用を精算する時、配布者に別途の収益費用を精算するようにする。
【０１０１】
図９は本発明によるウェブページ移動把握モジュール１５０の機能を概略的に示した例示図である。
【０１０２】
ウェブページ移動把握モジュール１５０は、インジケーター管理プログラム２５を設置したユーザーのウェブページの接続現況または移動性向を把握するための機能を行うもので、具体的には、移動メッセージ発生部１５１とメッセージデータベース生成部１５２とで構成される。
【０１０３】
まず、移動メッセージ発生部１５１は、移動開始メッセージ発生部１５１ａ、移動完了メッセージ発生部１５１ｂ及びドキュメント完了メッセージ発生部１５１ｃで構成され、ユーザーがウェブページ４０を接続して、ドキュメントのダウンロードが完了される時点まで、３回のメッセージを発生してシステムサーバー３０に伝送する役割を果たす。
【０１０４】
移動開始メッセージは、ウェブページに接続した後、発生されるメッセージで、各ウェブページを識別するために発給されたＩＤを含む。
【０１０５】
移動完了メッセージは、上記移動開始メッセージが発生した後、ウェブページを認識した瞬間に発生されるメッセージで、当該ウェプページのＵＲＬ情報及び自分が上記ＩＤを通じて当該ウェブページ４０がメインページであるかサブページであるか否かを収録した所属情報を含む。
【０１０６】
ドキュメント完了メッセージは、ウェブページのローディングが全て完了された時発生されるもので、どのウェブページ４０の移動が完了されたかを分析した情報を含む。メッセージデータベース生成部１５２は、システムサーバー３０の主観で上記三種のメッセージを集めてメッセージデータベースを生成することによって、ユーザーが訪問したウェブページの構造を分析する機能を有し、特に上記３種のメッセージを通じてウェブページのメインページ、サブページなどの全体構造をツリー構造で把握する役割を果たす。
【０１０７】
図９によれば、特定のユーザーが、例えばＡというウェブページ４０を訪問した時に実行される手続きを示している。
【０１０８】
ユーザーがＡというウェブページ４０を訪問した時、当該ウェブページ４０だけでなく、同一のウェブサイトでその他の周辺ウェプページまで訪問するのが一般的で、各ウェブページ別に移動開始−移動完了−ドキュメントローディング完了の順でメッセージを発生して、ウェブページ４０の構造を把握した後、上記メッセージを統合して各ウェブページ４０別にメッセージデータベースを生成することによって、ユーザーが訪問したウェブページ４０をより分かりやすく把握することができ、一目瞭然に接続情報を整理することができる。
【０１０９】
このようなウェブページ移動把握モジュール１５０によって、既存ログ情報分析でシステムを中心に把握した情報を実際の広告のターゲットになるユーザー中心に分析することによって、より有用な広告分析情報を得ることができるという特性を有する。
【０１１０】
本発明による接続情報把握モジュール１６０は、インジケーター管理プログラム２５を設置したユーザーの接続性向を分析して、これを通じて広告主に広告の效率的な活用のための情報を伝達する役割を果たす。接続情報把握モジュール１６０は特定のウェブページ４０に関連されているインジケーター１００をクリックして広告ウェブページに接続した情報のような一般のログ情報は勿論、上記ウェブページ移動把握モジュール１５０で得たメッセージデータベースを通じて具体的なユーザー接続現況情報を抽出することができる。
【０１１１】
言い換えれば、接続情報把握モジュール１６０で上記メッセージデータベースを分析して、ユーザーが多く接続するウェブページ、年齢別性向、接続されたウェブページ動向などの情報を得ることができ、このような情報は最終的に特定のウェブページに対するクリック数、訪問者、広告金額、広告期間など多様な接続情報を広告主に伝達する役割を果たすようになる。
【０１１２】
本発明による連動モジュール１７０は、クライアントサーバー２０と各種外部サーバーとシステムサーバー３０との多様な情報共有及び処理のために連動データベース１０９に属している携帯電話、ＰＤＡ、ＭＰ３、ＰＭＰ、ＴＶなど多様な情報器機とのインジケーター情報交換及び活用することができるようにする機能をする。
【０１１３】
言い換えれば、本発明によるインジケーター１００は、必ずウェブページのみに限定されて行われるのではなく、理論的にモバイル器機でも活性化されることができ、このようにウェブページ及びモバイル器機で行われる有無線情報を互いに互換可能に連動する役割を上記連動モジュール１７０で担当する。
【０１１４】
その他、本発明によるシステムは、ユーザーがインジケーターの広告コンテンツを評価して、評価内容によって広告費用または広告露出時間の利益を与えることができる評価手段、広告データベースを製作して広告主に連結する製作管理手段、広告データベースをユーザーの間に提供または取引することができる広告コンテンツ取引手段などを提供することができる。
【０１１５】
上述したように、本発明によるウェブページでインジケーターを利用したカスタマイズ広告管理システムの構成及び作用を上記説明及び図面に表したが、これは例えば説明したものに過ぎず、本発明の思想が上記説明及び図面に限定されることなく、本発明の技術思想を逸脱しない範囲で多様な変化及び変形が可能であることは明確である。
【符号の説明】
【０１１６】
１０  ：本発明によるシステム
１２０：インジケーター生成モジュール
２０  ：クライアントサーバー  
１２１：ブロック設定部
２５  ：インジケーター管理プログラム
１２２：座標設定部
３０  ：システムサーバー  
１２４：貯蔵部
６０  ：ＤＢサーバー  
１２５：レイヤー出力部
７０  ：ツールバー  
１３０：インジケーター設定モジュール
１００：インジケーター  
１３１：コンテンツ設定部
１０１：レイヤー  
１３４：キーワード設定部
１０５：インジケーターデータベース  
１３６：露出時間設定部
１０７：広告データベース  
１４０：外部連結部モジュール
１０９：連動データベース  
１４１：収益分配部
１１０：レイヤー形成モジュール  
１５０：ウェブページ移動把握モジュール
１１１：活性部  
１５１：移動メッセージ発生部
１１２：レイヤーサイズ自動調節部  
１５２：メッセージデータベース貯蔵部
１１３：レイヤー透明度調節部  
１６０：接続情報把握モジュール
１１５：インジケーター位置調節部  
１７０：連動モジュール
１１６：マルチレイヤー形成部
【図１】
2010536108.tif 000003
【図２】
2010536108.tif 000004
【図３】
2010536108.tif 000005
【図４】
2010536108.tif 000006
【図５】
2010536108.tif 000007
【図６】
2010536108.tif 000008
【図７】
2010536108.tif 000009
【図８】
2010536108.tif 000010
【図９】
2010536108.tif 000011
【国際調査報告】
2010536108.tif 000012
2010536108.tif 000013